(57)【要約】【課題】  検査結果を機構的に表示する構成の装置を用いる場合であっても、検査結果をミスなく記録することが可能な検眼装置を提供する。【解決手段】  被検眼に対する検査結果を機構的に表示するＰＤ表示部１２２、球面度表示部１６１、円柱度表示部１６２、円柱軸表示部１６４及びロータリープリズム部１５５等の表示部を有するフォロプタ１２０と、表示部を含むフォロプタ１２０の画像を撮影する撮像装置２と、撮影された画像を解析して、当該撮影画像における表示部の位置を特定する表示位置特定部１３５ｂと、位置が特定された表示部の表示内容（検査結果）を取得する表示内容取得部１３５ｃと、取得された検査結果をモニタ部１３１に表示させる表示制御部１３５ｄとを備える。【選択図】      図１
2006068417.tif 000002
【特許請求の範囲】
【請求項１】
被検眼に対する検査結果を表示する検査結果表示機構を有する検眼装置であって、
前記検査結果表示機構を含む画像を撮影する撮像手段と、
前記撮像手段により撮影された前記画像を解析して前記検査結果表示機構に表示された前記検査結果を取得する画像解析手段と、
を備えていることを特徴とする検眼装置。
【請求項２】
前記検査結果表示機構は、前記検査結果を数値にて表示し、
前記画像解析手段は、前記撮像手段により撮影された前記画像における前記数値の形状をパターン認識することにより前記検査結果を取得する、
ことを特徴とする請求項１に記載の検眼装置。
【請求項３】
前記被検眼に対して視標を提示する視標提示手段と、
前記視標提示手段に対向させて配置され、前記視標が提示される前記被検眼に対してその屈折力を矯正するための各種度数の球面度及び／又は円柱度を付与する屈折力矯正手段と、
を更に備え、
前記検査結果表示機構は、前記屈折力矯正手段に設けられ、前記被検眼に付与される球面度及び／又は円柱度を数値にて表示する、
ことを特徴とする請求項２に記載の検眼装置。
【請求項４】
前記撮像手段は、撮影光を検出して電気信号に変換する撮像素子を有し、
前記数値は、前記撮像素子の受光感度の高い波長域の色で形成されている、
ことを特徴とする請求項２又は請求項３に記載の検眼装置。
【請求項５】
前記検査結果表示機構は、前記検査結果に係る検査における測定範囲を表す目盛と、前記検査結果に対応する前記目盛上の位置を指し示す指示マークとを含み、
前記画像解析手段は、前記撮像手段により撮影された前記画像における前記指示マークの位置を検出し、当該検出された前記指示マークの位置に基づいて前記検査結果を取得する、
ことを特徴とする請求項１に記載の検眼装置。
【請求項６】
前記被検眼に対して視標を提示する視標提示手段と、
前記視標提示手段に対向させて配置され、前記視標が提示される前記被検眼に対してその屈折力を矯正するための各種度数の円柱度及び／又はプリズム度を付与する屈折力矯正手段と、
を更に備え、
前記検査結果表示機構は、前記屈折力矯正手段に設けられており、前記目盛は、前記被検眼に付与される円柱度の円柱軸角度及び／又はプリズム度の測定範囲を表す、
ことを特徴とする請求項５に記載の検眼装置。
【請求項７】
前記検査結果表示機構の前記目盛は、前記被検眼の瞳孔間距離の測定範囲を表すことを特徴とする請求項５に記載の検眼装置。
【請求項８】
前記撮像手段は、撮影光を検出して電気信号に変換する撮像素子を有し、
前記目盛及び／又は前記指示マークは、前記撮像素子の受光感度の高い波長域の色で形成されている、
ことを特徴とする請求項５ないし請求項７のいずれか一項に記載の検眼装置。
【請求項９】
前記屈折力矯正手段は、複数の矯正用レンズを内蔵し、前記被検眼の眼前に前記複数の矯正用レンズを切り換えて配置させるフォロプタであり、
前記検査結果表示機構は、前記フォロプタの前面に設けられている、
ことを特徴とする請求項３又は請求項６に記載の検眼装置。
【請求項１０】
前記屈折力矯正手段は、矯正用レンズと当該矯正用レンズの屈折力を表示するタブとを有する複数のトライアルレンズと、前記複数のトライアルレンズを選択的に装着可能なトライアルフレームとを含み、
前記検査結果表示機構は、前記トライアルレンズの前記タブを含む、
ことを特徴とする請求項３又は請求項６に記載の検眼装置。
【発明の詳細な説明】
【技術分野】
【０００１】
本発明は、被検眼の屈折測定を行うための検眼装置に関し、特に、検眼装置に表示される屈折力や瞳孔間距離等の測定値などを示す文字や記号などを自動入力する技術に関するものである。
【背景技術】
【０００２】
近年、眼鏡店等で使用される検眼装置のネットワーク化や自動化が進んでいるが、フォロプタやトライアルフレームなどについては、操作性やコスト面等のメリットからマニュアルタイプ、すなわち手動で操作するタイプが主流となっている（例えば、下記の特許文献１参照）。
【０００３】
図１１は、従来の検眼装置の一例を表す。同図に示す検眼装置１００は、被検眼の自覚測定を行うための装置であって、検眼テーブル１０１の上方に支柱１０２及び第１、第２のアーム１０３、１０４を介して吊り下げたマニュアルタイプの自覚式検眼装置（フォロプタ）１２０と、検眼テーブル２上に配置されたコンピュータ装置１３０と、フォロプタ１２０に対して所定の距離（遠用視力測定距離；３メートル、５メートル等）を介して配置された視力表装置１４０とを含んで構成される。なお、フォロプタ１２０とともに他覚式検眼装置（レフラクトメータ）を設けてもよい。また、検眼テーブル１０１の脇には、図示しない検眼椅子が設置されており、被検者は、この検眼椅子に座って検査を受けるようになっている。
【０００４】
コンピュータ装置１３０は、液晶ディスプレイ等のモニタ部１３１と、検眼装置１００の各種動作を指示するための入力操作に用いられるキーボード１３２やマウス１３３等の入力部とを備えている。モニタ部１３１には、各種の操作画面や測定結果表示画面等が表示される。
【０００５】
また、視力表装置１４０は、ランドルト環等の遠方視用の視標（チャート）Ｃを提示窓１４１に表示させて被検者に視標Ｃを提示する。被検者に提示される視標Ｃは、コンピュータ装置１３０のモニタ部１３１に表示される操作画面に基づきマウス１３３等を操作して選択される。
【０００６】
図１２は、フォロプタ１２０の前面（視力表装置１４０に対向する面）の構成を表す図である。フォロプタ１２０は、右被検眼の屈折測定を行うための右測定ユニット１２０Ｒと、左被検眼の屈折測定を行うための左測定ユニット１２０Ｌと、これら測定ユニット１２０Ｒ、１２０Ｌを支持する支持ユニット１２０Ａとを備えている。
【０００７】
右測定ユニット１２０Ｒと左測定ユニット１２０Ｌとは、左右対称に構成されており、同図においては左測定ユニット１２０Ｌの図示が省略されている。以下、右測定ユニット１２０Ｒ（単に「測定ユニット１２０Ｒ」と称することがある）についてのみ、その構成を詳述することとする。
【０００８】
支持ユニット１２０Ａは、各測定ユニット１２０Ｒ、１２０Ｌをそれぞれ左右方向に変位可能に支持している。支持ユニット１２０Ａの側面には、各測定ユニット１２０Ｒ、１２０Ｌを左右に変位させるためのＰＤ変更ノブ１２１が設けられている。検者は、このＰＤ変更ノブ１２１を回動操作して各測定ユニット１２０Ｒ、１２０Ｌの検眼窓１５０を右被検眼、左被検眼の直前にそれぞれ配置させる。すなわち、ＰＤ変更ノブ１２１は、左右の検眼窓１５０の幅を被検者の瞳孔間距離（ＰＤ）にアライメントするために操作される。左右の検眼窓１５０（に配置されるレンズの光軸）の幅は、ＰＤ表示部１２２に表示される。
【０００９】
また、支持ユニット１２０Ａは、右測定ユニット１２０Ｒ及び左測定ユニット１２０Ｌの背面側に配置される額当て１２３を支持している。符号１２４は、この額当て１２３に対する被検者の額の当接圧を示すインディケータである。更に、支持ユニット１２０Ａの中央上部には、被検眼の近用テスト用の視標を支持するロッドを取り付ける近用ロッド取付部１２５が設けられている。近用ロッド取付部１２５は、垂直上方と水平前方との間にて回動可能とされており、近用テスト時には水平前方に倒されて被検眼に近用視標を提示し、不使用時には垂直上方に収納される。
【００１０】
測定ユニット１２０Ｒには、被検眼の球面度を矯正する球面レンズ群や、円柱度を矯正する円柱レンズ群等の矯正用レンズを含む各種の検眼用レンズが内蔵されている。各検眼用レンズは、測定ユニット１２０Ｒの検眼窓１５０に選択的に配置されるようにターレット板等に設けられている。右被検眼は、測定ユニット１２０Ｒの背面側から検眼窓１５０をのぞき込むようにして視力表装置１４０に提示された視標Ｃを視認するようになっている。
【００１１】
図１３〜図１５を更に参照して、右測定ユニット１２０Ｒの前面の構成について説明する。
【００１２】
測定ユニット１２０Ｒの前面には、被検眼を矯正する球面度（矯正球面度）を変更するため、すなわち検眼窓１５０に配置する球面レンズを変更するための球面度変更部１５１と、検眼窓１５０に配置されている球面レンズの球面度数を機構的に表示する球面度表示部１６１とが設けられている。
【００１３】
球面度変更部１５１は、矯正球面度を（±）０．２５ディオプタずつ段階的に変更するために回動操作される第１の変更ノブ１５１ａと、この第１の変更ノブ１５１の中央部分に突出して形成され、矯正球面度を（±）３ディオプタずつ段階的に変更するための第２の変更ノブ１５２とを含んで構成されている。
【００１４】
球面度表示部１６１は、球面度変更部１５１の回動に連動して、表示する球面度数を変更するようになっている。より詳しくは、第１の変更ノブ１５１ａが１段階回動されると、その回動方向に応じて、球面度表示部１６１に表示される数値が「（＋／−）０．２５」だけ変更される。同様に、第２の変更ノブ１５１ｂが１段階回動されると、その回動方向に応じて、球面度表示部１６１に表示される数値が「（＋／−）３」だけ変更される。このような球面度の変更と表示との連動動作は、測定ユニット１２０Ｒ内の連動機構によって行われる。
【００１５】
また、測定ユニット１２０Ｒには、被検眼を矯正する円柱度（矯正円柱度）を変更するため、すなわち検眼窓１５０に配置する円柱レンズを変更するための円柱度変更部１５２と、検眼窓１５０に配置されている円柱レンズの円柱度数を機構的に表示する円柱度表示部１６２とが設けられている。
【００１６】
円柱度変更部１５２を１段階回動させると、その回動方向に応じて矯正円柱度が（±）０．２５ディオプタ変更される。円柱度変更部１５２が１段階回動されると、その回動方向に応じて、円柱度表示部１６２に表示される数値が「（＋／−）０．２５」だけ変更される。この連動動作も、測定ユニット１２０Ｒ内の連動機構による。
【００１７】
更に、測定ユニット１２０Ｒ前面には、軸１５３ａを中心に回動可能なレンズ支持板１５３が取り付けられている。このレンズ支持板１５３の両端には、被検眼の乱視を検査するクロスシリンダテスト用のクロスシリンダレンズ部１５４と、プリズム検査用のロータリープリズム部１５５とが設けられている。レンズ支持板１５３の軸１５３ａの周囲にはクロスシリンダテストにおける円柱軸角度を表示する円柱軸表示部１６４が設けられている。また、レンズ支持板１５３の一端には操作ツマミ１５３ｂが形成されており、検者は、必要に応じて、操作ツマミ１５３ｂをつまんでレンズ支持板１５３を回転させることにより、クロスシリンダレンズ部１５４又はロータリープリズム部１５５を検眼窓１５０の直前に配置させることができる。
【００１８】
クロスシリンダレンズ部１５４は、その中央部に円柱レンズ１５４ａを備えている。この円柱レンズ１５４ａは、その円柱軸に対し角度４５°の回動軸を中心にレンズの裏表を切り換えられるように構成されている。円柱レンズ１５４ａの裏表の切り換えは、切換ダイヤル１５４ｂを回動させることにより行う。
【００１９】
また、クロスシリンダレンズ部１５４は、円柱レンズ１５４ａの光軸を中心に回動可能に構成され、それにより円柱レンズ１５４ａの円柱軸角度を変更可能とされている。円柱レンズ１５４ａの円柱軸角度は円柱軸表示部１６４に表示される。
【００２０】
円柱軸表示部１６４は、図１４に示すように、周縁部に円柱軸角度を示す目盛が記載された円盤状の目盛板１６４ａと、この目盛板１６４ａの周囲の縁端部１６４ｂに設けられて、目盛板１６４ａ上の目盛を指示する指示マーク１６４ｃとを含む機構的構成を備えている。目盛板１６４ａ上の目盛には円柱軸角度０°〜１８０°が２回通り記載されている。指示マーク１６４ｃは、目盛板１６４ａを挟んで対向する位置（つまり１８０°離れた位置）に一対設けられ、それぞれが目盛板１６４ａの同一の度数の目盛を指示するようになっている。
【００２１】
目盛板１６４ａは、レンズ支持板１５３やクロスシリンダレンズ部１５４が回転されても、それとともに回転しないように構成されている（図１４の目盛板１６４ａにおいては、０°−１８０°の線が常に水平に位置する）。一方、縁端部１６４ｂは、レンズ支持板１５３が回転されても回転しないが、クロスシリンダレンズ部１５４が回転された場合には、その回転に連動して、円柱レンズ１５４ａの円柱軸角度の変位と同角度だけ軸１５３ａを中心に回転するように構成されている。それにより、指示マーク１６４ｃは、円柱レンズ１５４ａの円柱軸角度と等しい目盛を指し示すようになっている。なお、クロスシリンダレンズ部１５４の回転に対する縁端部１６４ｂの回転の連動動作は、測定ユニット１２０Ｒ内の連動機構による。
【００２２】
ロータリープリズム部１５５は、図１５に示すように、例えば、プリズム度を生成する２枚のレンズを含むプリズム部１５５ａと、このプリズム部１５５ａの２枚のレンズを保持する保持部１５５ｂと、この保持部１５５ｂ上に設けられた指示マーク１５５ｃと、プリズム度を示す目盛が設けられた円環状の目盛板１５５ｄと、プリズム部１５５ａの各レンズを回転させてプリズム部１５５ａが生成するプリズム度を変更する変更ダイヤル１５５ｅとを含む機構的構成を備えている。
【００２３】
ロータリープリズム部１５５は、レンズ支持部１５３が回転されても回転しないように構成されている。また、目盛板１５５ｄは、変更ダイヤル１５５ｅが回転操作されても回転しないように構成されている。図１５の目盛板１５５ｄにおいては、「２０」−「２０」の線が常に垂直に位置するようになっている。
【００２４】
プリズム部１５５ａの２枚のレンズは、それぞれ例えば１０プリズムディオプタのプリズム度を有しており、変更ダイヤル１５５ｅに対する操作に応じて当該レンズが回転されることにより、プリズム部１５５ａは０〜２０プリズムディオプタのプリズム度を生成できるようになっている。また、２枚のレンズをともに回転させることにより、プリズム基底方向を変更することができる。目盛板１５５ｄ上には、プリズム基底方向（ベースアップ、ベースダウン）に応じて０〜２０プリズムディオプタの範囲で目盛が設けられている。
【００２５】
変更ダイヤル１５５ｅが回転されると、プリズム部１５５ａのレンズとともに保持部１５５ｂが回転される（目盛板１５５ｄは回転されない）。このとき、保持部１５５ｂ上の指示マーク１５５ｃも回転され、プリズム部１５５ａの生成するプリズム度を示す目盛板１５５ｄ上の目盛を指示するようになっている。
【００２６】
更に、測定ユニット１２０Ｒの前面には、各種の補助レンズ等の補助用検眼用レンズを検眼窓１５０に選択的に配置させるための補助レンズ切換部１５６が設けられている。この補助レンズ切換部１５６により切り換え適用される補助用検眼用レンズとしては、例えば、補助用の球面レンズや円柱レンズ、プリズム、偏光フィルタ、グリーンフィルタ、レッドフィルタ、マドックス桿、ピンホール等を用いることができる。また、符号１５７は、検眼窓１５０に対する被検眼の角膜頂点の位置を示すインディケータである。
【００２７】
このような検査結果を機構的に表示するフォロプタ等を含んだ検眼装置を使用する場合、検者は、フォロプタの各表示部に表示された数値や指示マークの指示する目盛を読み取るとともに、その読み取った値をコンピュータ装置１３０に入力したり、或いはカルテ等の記録用紙に書き留めたりすることにより、検査結果を記録していた。
【００２８】
しかし、この従来の記録方法では、表示された数値や指示された目盛を目視で読み取っていたことから、読み取りミスや、入力ミス、記録ミスを犯すことがあった。このような人為的なミスが発生すると、誤った記録内容によって誤診が誘因されるおそれが高まるほか、再検査の必要性が生じて検者及び被検者に負担を強いるおそれがある。また、一日に何人もの被検者を検査する必要がある検者にこのようなミスの根絶を期待することは、検者への負担が大きく酷であると考えられる。
【００２９】
次に、トライアルフレームについて説明する。トライアルフレームは、フォロプタと同様に被検眼に対して矯正屈折力を付与するものであり、フォロプタに代えて使用される。この矯正屈折力は各種度数のトライアルレンズ（検査レンズ）を切り換えて用いることにより付与される。
【００３０】
図１６にトライアルフレームの構成を示す。図１６（Ａ）はトライアルフレーム２００の構成を表し、図１６（Ｂ）はこのトライアルフレーム２００のレンズ保持枠２０１Ｒ、２０１Ｌに装着されるトライアルレンズ２０２の構成を表す。
【００３１】
トライアルレンズ２０２は、環状枠２０２ａと、環状枠２０２ａに保持されたレンズ２０２ｂと、環状枠２０２ｂの外周面に半径方向外側に向けて一体に突設された突部２０２ｃと、突部２０２ｃの先端に設けられたタブ２０２ｄとを備えている。レンズ２０２ｂは、所定の屈折力（球面度、円柱度等）を有しており、タブ２０２ｄには、当該レンズ２０２ｂの屈折力が記載されている。トライアルフレームを用いた検眼においては、各種屈折力を有する多数のトライアルレンズ２０２が用いられる。
【００３２】
トライアルフレーム２００は、矯正球面度や矯正円柱度を右被検眼及び左被検眼にそれぞれ個別に付与するための構成を備える。トライアルフレーム２００は、保持枠取付ベースとしての左右の環状板部２００Ｌ、２００Ｒと、この環状板部２００Ｌ、２００Ｒを一体に連設する鼻当兼用のブリッジ２００Ｂと、環状板部２００Ｌ、２００Ｒの外側縁部に一体に設けられた取付板部２０３Ｌ、２０３Ｒと、この取付板部２０３Ｌ、２０３Ｒに取り付けられたテンプル２０４Ｌ、２０４Ｒとを有する。
【００３３】
レンズ保持枠２０１Ｌ、２０１Ｒは、環状板部２００Ｌ、２００Ｒ内において周方向に回動可能に保持されている。環状板部２００Ｌ、２００Ｒには、取付板部２０３Ｌ、２０３Ｒよりも下方に回転操作用の操作ツマミ２０５Ｌ、２０５Ｒが取り付けられている。この操作ツマミ２０５Ｌ、２０５Ｒを矢印Ｂ１、Ｂ２方向にそれぞれ回転させることにより、レンズ保持枠２０１Ｌ、２０１Ｒがそれぞれ矢印Ｃ１、Ｃ２方向に回転するようになっている。
【００３４】
また、環状板部２００Ｌ、２００Ｒの正面には周方向に沿って目盛２０６Ｌ、２０６Ｒが形成されている。この目盛２０６Ｌ、２０６Ｒは、矯正円柱度を付与するトライアルレンズの円柱軸角度を示している。トライアルレンズ２０２が円柱度矯正用である場合、そのタブ２０２ｄの方向、すなわち突部２０２ｃが指示する目盛２０６Ｌ、２０６Ｒの位置が、そのときの円柱軸角度を示している。
【００３５】
レンズ保持枠２０１Ｌ、２０１Ｒの正面には、トライアルレンズ２０２を受け止める溝が複数形成されたレンズ受部２０７Ｌ、２０７Ｒと、このレンズ受部２０７Ｌ、２０７Ｒにトライアルレンズ２０２を押し付けて保持させる板バネ２０８Ｌ、２０８Ｒとが設けられている。
【００３６】
このようなトライアルフレームを用いた検眼装置においても、検者は、トライアルフレームやトライアルレンズに機構的に表示された数値や目盛を目視で読み取って、コンピュータ装置１３０に入力したり、記録用紙に書き留めたりする必要があるので、フォロプタの場合と同様に読み取りミスや、入力ミス、記録ミスを犯すことがあった。
【００３７】
【特許文献１】特開２００２−３１５７２３号公報（明細書段落［０００７］、［０００８］、第１図）
【特許文献２】特開２００４−４５２１５号公報（明細書段落［００４７］〜［００５１］、第２１図）
【発明の開示】
【発明が解決しようとする課題】
【００３８】
本発明は、以上のような事情に鑑みてなされたものであり、検査結果を機構的に表示する構成の装置を用いる場合であっても、検査結果をミスなく記録することが可能な検眼装置を提供することを目的とする。
【課題を解決するための手段】
【００３９】
上記目的を達成するために、請求項１に記載の発明は、被検眼に対する検査結果を表示する検査結果表示機構を有する検眼装置であって、前記検査結果表示機構を含む画像を撮影する撮像手段と、前記撮像手段により撮影された前記画像を解析して前記検査結果表示機構に表示された前記検査結果を取得する画像解析手段と、を備えていることを特徴とする。
【００４０】
また、請求項２に記載の発明は、請求項１に記載の検眼装置であって、前記検査結果表示機構は、前記検査結果を数値にて表示し、前記画像解析手段は、前記撮像手段により撮影された前記画像における前記数値の形状をパターン認識することにより前記検査結果を取得する、ことを特徴とする。
【００４１】
また、請求項３に記載の発明は、請求項２に記載の検眼装置であって、前記被検眼に対して視標を提示する視標提示手段と、前記視標提示手段に対向させて配置され、前記視標が提示される前記被検眼に対してその屈折力を矯正するための各種度数の球面度及び／又は円柱度を付与する屈折力矯正手段と、を更に備え、前記検査結果表示機構は、前記屈折力矯正手段に設けられ、前記被検眼に付与される球面度及び／又は円柱度を数値にて表示する、ことを特徴とする。
【００４２】
また、請求項４に記載の発明は、請求項２又は請求項３に記載の検眼装置であって、前記撮像手段は、撮影光を検出して電気信号に変換する撮像素子を有し、前記数値は、前記撮像素子の受光感度の高い波長域の色で形成されている、ことを特徴とする。
【００４３】
また、請求項５に記載の発明は、請求項１に記載の検眼装置であって、前記検査結果表示機構は、前記検査結果に係る検査における測定範囲を表す目盛と、前記検査結果に対応する前記目盛上の位置を指し示す指示マークとを含み、前記画像解析手段は、前記撮像手段により撮影された前記画像における前記指示マークの位置を検出し、当該検出された前記指示マークの位置に基づいて前記検査結果を取得する、ことを特徴とする。
【００４４】
また、請求項６に記載の発明は、請求項５に記載の検眼装置であって、前記被検眼に対して視標を提示する視標提示手段と、前記視標提示手段に対向させて配置され、前記視標が提示される前記被検眼に対してその屈折力を矯正するための各種度数の円柱度及び／又はプリズム度を付与する屈折力矯正手段と、を更に備え、前記検査結果表示機構は、前記屈折力矯正手段に設けられており、前記目盛は、前記被検眼に付与される円柱度の円柱軸角度及び／又はプリズム度の測定範囲を表す、ことを特徴とする。
【００４５】
また、請求項７に記載の発明は、請求項５に記載の検眼装置であって、前記検査結果表示機構の前記目盛は、前記被検眼の瞳孔間距離の測定範囲を表すことを特徴とする。
【００４６】
また、請求項８に記載の発明は、請求項５ないし請求項７のいずれか一項に記載の検眼装置であって、前記撮像手段は、撮影光を検出して電気信号に変換する撮像素子を有し、前記目盛及び／又は前記指示マークは、前記撮像素子の受光感度の高い波長域の色で形成されている、ことを特徴とする。
【００４７】
また、請求項９に記載の発明は、請求項３又は請求項６に記載の検眼装置であって、前記屈折力矯正手段は、複数の矯正用レンズを内蔵し、前記被検眼の眼前に前記複数の矯正用レンズを切り換えて配置させるフォロプタであり、前記検査結果表示機構は、前記フォロプタの前面に設けられている、ことを特徴とする。
【００４８】
また、請求項１０に記載の発明は、請求項３又は請求項６に記載の検眼装置であって、前記屈折力矯正手段は、矯正用レンズと当該矯正用レンズの屈折力を表示するタブとを有する複数のトライアルレンズと、前記複数のトライアルレンズを選択的に装着可能なトライアルフレームとを含み、前記検査結果表示機構は、前記トライアルレンズの前記タブを含む、ことを特徴とする。
【発明の効果】
【００４９】
本発明に係る検眼装置によれば、検査結果を表示する検査結果表示機構を含む画像を撮影する撮像手段と、この撮像手段により撮影された画像を解析して検査結果表示機構に表示された検査結果を取得する画像解析手段とを備えているので、表示された検査結果を目視で読み取って、コンピュータ装置に入力したり、記録用紙に書き留めたりする必要がない。したがって、検査結果を機構的に表示するように構成された装置を用いる場合であっても、その検査結果をミスなく記録することができる。
【発明を実施するための最良の形態】
【００５０】
本実施形態に係る検眼装置の好適な実施形態について、図面を参照しながら詳細に説明する。
【００５１】
本実施形態の検眼装置は、図１１〜図１６に示した従来の検眼装置とほぼ同様の構成を備えている。また、本実施形態の検眼装置は、自覚式検眼装置としてフォロプタ又はトライアルフレームを含んでいる。以下、従来と同様の構成部分については、図１１〜図１６に示した符号を用いて説明することとする。
【００５２】
また、従来と同様に、本実施形態の検眼装置にはレフラクトメータ等の他覚式検眼装置（図示省略）が設けられている。この他覚式検眼装置による測定結果は、コンピュータ装置１３０のモニタ部１３１に自動的に表示され、検者は、その他覚値を参照して自覚式検眼の初期値を選択する。
【００５３】
［装置構成］
図１は、本発明に係る検眼装置の実施形態の一例の構成を表すブロック図である。同図に示す検眼装置１は、被検眼に矯正屈折力を付与する本発明の「屈折力矯正手段」として、複数の矯正用レンズを内蔵し、被検眼の眼前にこれら複数の矯正用レンズを切り換えて配置させるフォロプタ１２０を用いている。検眼装置１は、更に、コンピュータ装置１３０と撮像装置２とを含んでいる。コンピュータ装置１３０と撮像装置２とは、ケーブル３を介して通信可能に接続されている。
【００５４】
〔フォロプタ〕
フォロプタ１２０には、左右被検眼のＰＤを表示するＰＤ表示部１２２とともに、右測定ユニット１２０Ｒと左測定ユニット１２０Ｌとにそれぞれ設けられた、矯正球面度を表示する球面度表示部１６１、矯正円柱度を表示する円柱度表示部１６２、矯正時の円柱軸（矯正円柱軸）を表示する円柱軸表示部１６４、及び、矯正時のプリズム値を表示するロータリープリズム部１５５が設けられている。
【００５５】
以下、ＰＤ表示部１２２、球面度表示部１６１、円柱度表示部１６２、円柱軸表示部１６４及びロータリープリズム部１５５をまとめて「表示部」と呼ぶことがある。なお、これらの表示部は、各表示部毎、複数の組み合わせ、或いは全体が本発明にいう「検査結果表示機構」に含まれる。
【００５６】
（ＰＤ表示部）
図２は、ＰＤ表示部１２２におけるＰＤの表示態様の一例を表す。ＰＤ表示部１２２は、機構的に構成されており、支持ユニット１２０Ａに形成された開口部１２２ａと、この開口部１２２ａに固定された固定板１２２ｂと、この固定板１２２ｃ上に形成された指示マーク１２２ｃと、ＰＤ変更ノブ１２１の回転に伴う測定ユニット１２０Ｒ、１２０Ｌの接近／離反動作に応じて開口部１２２ａ内を左右に移動するように設けられた移動板１２２ｄとを含んで構成されている。
【００５７】
移動板１２２ｄ上には、測定ユニット１２０Ｒ、１２０Ｌの各検眼窓１５０に配置されるレンズの光軸間の距離（ＰＤ）の測定範囲を表す目盛が設けられており、指示マーク１２２ｃが指し示す目盛の位置がそのときのＰＤの値を示している。移動板１２２ｄ上の目盛は、例えば、５０〜７８ミリメートルの範囲にて１ミリメートル刻みに設けられる。
【００５８】
（球面度表示部）
図３は、球面度表示部１６１における矯正球面度の表示態様の一例を表す。球面度表示部１６１は、機構的に構成されており、右測定ユニット１２０Ｒに形成された開口部１６１ａと、球面度変更部１５１の操作に応じて上下方向に移動する第１の移動板１６１ｂ及び第２の移動板１６１ｃとを含んで構成される。第１の移動板１６１ｂは球面度の小数点以下を表示し、第２の移動板１６１ｃは球面度の整数部分を表示する。
【００５９】
第１の移動板１６１ｂ上には、数値「００」、「２５」、「５０」、「７５」が記載されている。これらの数値は、表示されている球面度の小数点以下がそれぞれ０．００、０．２５、０．５０、０．７５ディオプタであることを意味し、第１の変更ノブ１５１ａによる０．２５ディオプタ単位の球面度の変更に連動して、開口部１６１ａに順に配置されるようになっている。
【００６０】
また、第２の移動板１６１ｃ上には、数値「１」、「２」、「３」、「４」等が記載されている。これらの数値は、表示されている球面度の整数部分がそれぞれ１、２、３、４ディオプタ等であることを意味する。本実施形態においては、４つの数値が開口部１６１ａに一度に表示されるようになっている。なお、第２の移動板１６１ｃ上には、これらより大きな数値及び／又は小さな数値も記載されており、第１の変更ノブ１５１ａによる０．２５ディオプタ単位の球面度の変更や、第２の変更ノブによる３ディオプタ単位の変更に連動して、それらの数値が開口部１６１ａに配置されるようになっている。
【００６１】
ここで、左測定ユニット１２０Ｌの球面度表示部１６１も同一の構成を備えている。以下、右測定ユニット１２０Ｒの球面度表示部１６１を符号「１６１Ｒ」で、左測定ユニット１２０Ｌの球面度表示部１６１を符号「１６１Ｌ」でそれぞれ表すことがある。
【００６２】
（円柱度表示部）
図４は、円柱度表示部１６２における矯正円柱度の表示態様の一例を表す。円柱度表示部１６２は、機構的に構成されており、右測定ユニット１２０Ｒに形成された開口部１６２ａと、円柱度変更部１５２の回動操作に応じて上下方向に移動する第１の移動板１６２ｂ及び第２の移動板１６２ｃと、第１、第２の移動板１６２ｂ、１６２ｃの間に固定された固定板１６２ｄとを含んで構成される。第１の移動板１６２ｂは円柱度の小数点以下を表示し、第２の移動板１６２ｃは円柱度の整数部分を表示する。また、固定板１６２ｄには小数点が記載されている。
【００６３】
第１の移動板１６２ｂ上には、数値「２５」、「５０」、「７５」が記載されている。これらの数値は、それぞれ０．２５、０．５０、０．７５ディオプタの円柱度を意味し、円柱度変更部１５２による０．２５ディオプタ単位の円柱度の変更に連動して、開口部１６２ａに順に配置されるようになっている。なお、円柱度の小数点以下が「０」のときは、第１の移動板１６２ｂには何も表示されない。
【００６４】
また、第２の移動板１６２ｃ上には、数値「１」、「２」、「３」等が記載されている。これらの数値は、それぞれ１、２、３ディオプタ等の円柱度を意味する。これらの数値は、開口部１６２ａに一つずつ配置されるように構成されており、円柱度変更部１５２が同方向に４段階回転される度毎に（０．２５×４＝１ディオプタであるから）、開口部１６２ａに配置される数値が１ずつ増加／減少するように第２の移動板１６２ｃが上下される。なお、円柱度の整数部分が「０」のときは、第２の移動板１６２ｃには何も表示されない。
【００６５】
ここで、左測定ユニット１２０Ｌの円柱度表示部１６２も同一の構成を備えている。以下、右測定ユニット１２０Ｒの円柱度表示部１６２を符号「１６２Ｒ」で、左測定ユニット１２０Ｌの円柱度表示部１６２を符号「１６２Ｌ」でそれぞれ表すことがある。
【００６６】
（円柱軸表示部）
円柱軸表示部１６４は、図１４を参照して説明したように機構的に構成されており、円柱軸角度の測定範囲を表す目盛が周縁部に設けられた円盤状の目盛板１６４ａと、この目盛板１６４ａの周囲の縁端部１６４ｂに設けられ、目盛板１６４ａ上の目盛を指示する指示マーク１６４ｃとを含んでいる。目盛板１６４ａ上の目盛には円柱軸角度０°〜１８０°が２回通り記載されている。この目盛板１６４ａは、レンズ支持板１５３やクロスシリンダレンズ部１５４が回転されても回転されず、０°−１８０°の線が常に水平に位置するようになっている。また、指示マーク１６４ｃは、目盛板１６４ａを挟んで対向する位置に一対設けられ、それぞれが目盛板１６４ａの同一の度数の目盛を指示するようになっている。指示マーク１６４ｃが設けられた縁端部１６４ｂは、レンズ支持板１５３が回転されても回転しないように構成されている。
【００６７】
指示マーク１６４ｃが設けられた縁端部１６４ｂは、クロスシリンダレンズ部１５４の回転と連動して、円柱レンズ１５４ａの円柱軸角度の変位と同角度だけ軸１５３ａを中心に回転するように構成されている。それにより、指示マーク１６４ｃは、円柱レンズ１５４ａの円柱軸角度と等しい目盛を指し示すようになっている。以下、右測定ユニット１２０Ｒの円柱軸表示部１６４を符号「１６４Ｒ」で、左測定ユニット１２０Ｌの円柱軸表示部１６４を符号「１６４Ｌ」でそれぞれ表すことがある。
【００６８】
（ロータリープリズム部）
ロータリープリズム部１５５は、図１５を参照して説明したように機構的に構成されており、プリズム度を生成する２枚のレンズを含むプリズム部１５５ａと、このプリズム部１５５ａの２枚のレンズを保持する保持部１５５ｂと、この保持部１５５ｂ上に設けられた指示マーク１５５ｃと、プリズム度の測定範囲を表す目盛が設けられた円環状の目盛板１５５ｄと、プリズム部１５５ａの各レンズを回転させてプリズム度を変更する変更ダイヤル１５５ｅとを含んで構成されている。目盛板１５５Ｄは、レンズ支持板１５３やプリズム部１５５ａが回転されても回転されず、「２０」−「２０」の線が常に垂直に位置するようになっている。また、指示マーク１５５ｃが設けられた保持部１５５ｂは、レンズ支持板１５３が回転されても回転しないように構成されている。
【００６９】
プリズム部１５５ａの２枚のレンズは、それぞれ１０プリズムディオプタのプリズム度を有しており、変更ダイヤル１５５ｅに対する操作によってこれらレンズが回転されることにより、プリズム部１５５ａは０〜２０プリズムディオプタのプリズム度を生成できるようになっている。また、２枚のレンズをともに回転させることにより、プリズム基底方向を変更することができる。目盛板１５５ｄ上には、プリズム基底方向（ベースアップ、ベースダウン）に応じて０〜２０プリズムディオプタの範囲で目盛が設けられている。
【００７０】
変更ダイヤル１５５ｅを回転させると、プリズム部１５５ａのレンズとともに保持部１５５ｂが回転され、この保持部１１５ｂ上の指示マーク１５５ｃが、プリズム部１５５ａの生成するプリズム度の目盛を指示するようになっている。以下、右測定ユニット１２０Ｒのロータリープリズム部１５５を符号「１５５Ｒ」で、左測定ユニット１２０Ｌのロータリープリズム部１５５を符号「１５５Ｌ」でそれぞれ表すことがある。
【００７１】
〔撮像装置〕
撮像装置２は、本発明の「撮像手段」を構成するものであり、フォロプタ１２０の前面の画像（表示部を含む）を撮影するために用いられる。そのために、撮像装置２は、例えば、図１１に示す視力表装置１４０の筐体上や内部など、フォロプタ１２０前面に対向するように配設される。なお、視力表装置１４０は、本発明の「視標提示手段」を構成している。
【００７２】
図５は、撮像装置２の概略構成を表している。撮像装置２は、制御部２１、撮影光学系２２、撮像素子２３、画像メモリ２４及び入出力Ｉ／Ｆ２５を含んで構成される。
【００７３】
制御部２１は、撮像装置２の各部を制御するためのプログラムを格納したＲＯＭ等の記憶装置と、このプログラムを実行するＣＰＵ等の演算制御装置とを備える。特に、制御部２１は、撮影光学系２２における撮影倍率の変更やピント合わせ等の制御、撮像素子２３のタイミング制御、画像メモリ２４に対する画像データの保存や読み出し、入出力Ｉ／Ｆ２５によるデータ送受の制御などを行う。
【００７４】
撮影光学系２２には、図示は省略するが、対物レンズ、変倍レンズ、結像レンズ等の光学素子とともに、これら光学素子を駆動するソレノイドやステッピングモータ等の駆動装置が設けられている。撮影光学系２２は、フォロプタ１２０の前面からの光（撮影光）を受けて撮像素子２３の撮像面上に結像させるように作用する。
【００７５】
撮像素子２３は、ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などからなり、撮影光学系２２により導かれた撮影光を検出し電気信号（検出信号）に変換して出力するように動作する。なお、撮像素子２３は、高画質の画像を得られるように、大きな画素数のものを使用して高画質化、高感度化を図ることが望ましい。
【００７６】
撮像素子２３からの検出信号は、制御部２１により、フォロプタ１２０の前面の撮影画像のデータ（画像データ）として画像メモリ２４に保存される。制御部２１は、この画像データを画像メモリ２４から所定のタイミングで読み出し、入出力Ｉ／Ｆ２５を介してコンピュータ装置１３０に送信する。なお、撮像素子２３による検出信号をそのまま画像データとしてコンピュータ装置１３０に送信するようにしてもよい。ここで、画像メモリ２４はイメージメモリ等を含んで構成され、入出力Ｉ／Ｆ２５は通信用インターフェイス回路等を含んで構成される。
【００７７】
〔コンピュータ装置〕
コンピュータ装置１３０は、液晶ディスプレイ等からなるモニタ部１３１と、キーボード１３２やマウス１３３（図１１参照）等の入力デバイスからなる入力部１３４と、コンピュータプログラムやデータに基づいて各種の演算処理や制御処理を行うＣＰＵ（Ｃｅｎｔｒａｌ  Ｐｒｏｃｅｓｓｉｎｇ  Ｕｎｉｔ）１３５と、各種のコンピュータプログラムやデータを格納するハードディスクドライブ（ＨＤＤ）１３６と、ＣＰＵ１３５により実行されるプログラムやデータが展開されるＲＡＭ（Ｒａｎｄｏｍ  Ａｃｃｅｓｓ  Ｍｅｍｏｒｙ）１３７と、基本的なプログラムやデータが格納されたＲＯＭ（Ｒｅａｄ  Ｏｎｌｙ  Ｍｅｍｏｒｙ）１３８と、撮像装置２等の外部装置との間における情報の入出力を行う入出力インターフェイス（Ｉ／Ｆ）１３９とを含んで構成されている。これら各部は、バス１３０Ａによって接続されている。
【００７８】
（ＨＤＤ）
まず、ＨＤＤ１３６について説明する。ＨＤＤ１３６には、本発明に係る後述の処理を実行するための制御プログラム１３６Ａがあらかじめ格納されている。この制御プログラム１３６Ａは、ＣＤ―ＲＯＭやＤＶＤ−ＲＯＭ等の記憶媒体から、或いは、ＬＡＮ等のネットワークを経由してサーバ等からインストールされる。
【００７９】
制御プログラム１３６Ａは、撮像装置２による撮影画像を解析するための画像解析プログラム（ルーチン）１３６ａと、撮影画像の解析処理において参照される表示位置特定情報１３６ｂと、モニタ部１３１における表示処理を行うための表示制御プログラム（ルーチン）１３６ｃとを含んでいる。画像解析プログラム１３６ａと表示制御プログラム１３６ｃについては、これを実行するＣＰＵ１３５の説明中にて詳述する。
【００８０】
表示位置特定情報１３６ｂは、フォロプタ１２０の前面における各表示部の位置情報を含んで構成される。図６に、表示位置特定情報１３６ｂの一例を示す。
【００８１】
同図に示す表示位置特定情報１３６ｂは、フォロプタ１２０の前面のパターン画像を形成する画像情報である。この表示位置特定情報１３６ｂには、右測定ユニット１２０Ｒの外縁パターン１２０Ｒ′とともに、球面度表示部１６１Ｒの位置を表す球面度表示部パターン１６１Ｒ′、円柱度表示部１６２Ｒの位置を表す円柱度表示部パターン１６２Ｒ′、円柱軸表示部１６４Ｒの位置を表す円柱軸表示部パターン１６４Ｒ′、及び、ロータリープリズム部１５５Ｒの位置を表すロータリープリズム部パターン１５５Ｒ′とが含まれている。同様に、表示位置特定情報１３６ｂには、左測定ユニット１２０Ｌの外縁パターン１２０Ｌ′とともに、球面度表示部１６１Ｌの位置を表す球面度表示部パターン１６１Ｌ′、円柱度表示部１６２Ｌの位置を表す円柱度表示部パターン１６２Ｌ′、円柱軸表示部１６４Ｌの位置を表す円柱軸表示部パターン１６４Ｌ′、及び、ロータリープリズム部１５５Ｌの位置を表すロータリープリズム部パターン１５５Ｌ′とが含まれている。更に、表示位置特定情報１３６ｂには、ＰＤ表示部１２２の位置を表すＰＤ表示部パターン１２２′が含まれている。
【００８２】
このような表示位置特定情報１３６ｂは、例えば、フォロプタ１２０前面の実際の撮影画像から各表示部の位置を抽出することで生成される。
【００８３】
なお、本発明に用いられる表示位置特定情報１３６ｂは、このような画像情報に限定されるものではなく、撮像装置２によって撮影されたフォロプタ１２０の前面の画像（つまり画像データ）から各表示部の位置を特定可能とするような情報であれば、その態様は不問である。その一例としては、フォロプタ１２０の前面の撮影画像における各表示部の座標値により表示位置特定情報１３６ｂを構成することができる。なお、当該座標値の基準となる座標としては、撮像素子２３の撮像面上に任意に定義される２次元座標や、撮影画像上に任意に定義される２次元座標などを用いることができる。
【００８４】
ＨＤＤ１３６には、フォロプタ１２０前面の表示部に表示された検査結果（球面度数、円柱度数、円柱軸角度、プリズム値、ＰＤなど）を記憶するためのディレクトリが形成されている。このディレクトリを検査結果記憶部１３６Ｂと呼ぶこととする。
【００８５】
（ＣＰＵ）
ＣＰＵ１３５は、検眼装置１の各部を制御する制御部１３５ａとともに、本発明に係る処理を実行する表示位置特定部１３５ｂ、表示内容取得部１３５ｃ及び表示制御部１３５ｄを備えている。
【００８６】
表示位置特定部１３５ｂと表示内容取得部１３５ｃは、本発明の「画像解析手段」を構成するものであり、制御プログラム１３６Ａの画像解析プログラム１３６ａを実行するＣＰＵ１３５によって構成される。ＣＰＵ１３５は、表示位置特定部１３５ｂとして動作するときに表示位置特定情報１３６ｂを参照するようになっている。また、表示制御部１３５ｄは、表示制御プログラム１３６ｃを実行するＣＰＵ１３５によって構成される。以下、表示位置特定部１３５ｂ、表示内容取得部１３５ｃ及び表示制御部１３５ｄのそれぞれが行う処理について説明する。
【００８７】
（表示位置特定部）
表示位置特定部１３５ｂは、撮像装置２が撮影したフォロプタ１２０前面の画像を解析して当該画像中における各表示部の位置を特定する処理を行う。当該処理の一例をより詳しく説明する。
【００８８】
まず、表示位置特定部１３５ｂは、撮像装置２から送信された画像データを解析して、その撮影画像における各測定ユニット１２０Ｒ、１２０Ｌの外縁を検出する。この検出処理は、例えば、フォロプタ１２０前面の色（ＲＧＢの各濃度など）と背景画像の色とを比較することにより行われる。
【００８９】
次に、表示位置特定部１３５ｂは、撮影画像と表示位置特定情報１３６ｂのパターン画像とを重ね合わせる。このとき、上記検出した撮影画像の各測定ユニット１２０Ｒ、１２０Ｌの外縁と、表示位置特定情報１３６ｂにおける外縁パターン１２０Ｒ′、１２０Ｌ′とを重ね合わせるようにする。撮影画像における外縁のサイズと、外縁パターン１２０Ｒ′、１２０Ｌ′のサイズとが異なる場合、撮影画像及びパターン画像のいずれか一方又は双方のサイズを調整して互いのサイズを一致させる。
【００９０】
続いて、表示位置特定部１３５ｂは、図６のパターン画像中における各表示部パターンと重なる撮影画像中の各領域を、フォロプタ１２０の各表示部の位置として特定する。すなわち、ＰＤ表示部パターン１２２′と重なる撮影画像中の領域をＰＤ表示部１２２の位置として特定し、球面度表示部パターン１６１Ｒ′、１６１Ｌ′とそれぞれ重なる撮影画像中の領域を球面度表示部１６１Ｒ、１６１Ｌの位置として特定し、円柱度表示部パターン１６２Ｒ′、１６２Ｌ′とそれぞれ重なる撮影画像中の領域を円柱度表示部１６２Ｒ、１６２Ｌの位置として特定し、円柱軸表示部パターン１６４Ｒ′、１６４Ｌ′とそれぞれ重なる撮影画像中の領域を円柱軸表示部１６４Ｒ、１６４Ｌの位置として特定し、ロータリープリズム部パターン１５５Ｒ′、１５５Ｌ′とそれぞれ重なる撮影画像中の領域をロータリープリズム部１５５Ｒ、１５５Ｌの位置として特定する。以上が、表示位置特定部１３５ｂが行う処理の一例である。
【００９１】
なお、表示位置特定部１３５ｂにより実行される処理はこのような態様には限定されない。例えば、上記処理においては、各測定ユニット１２０Ｒ、１２０Ｌの外縁を用いて撮影画像とパターン画像との重ね合わせやサイズ合わせを行っているが、フォロプタ１２０の前面に少なくとも２つのマークを設けて重ね合わせやサイズ合わせを行ってもよい。そのために、フォロプタ１２０の前面に２つ（以上）の画像合わせ用マークを設けるとともに、表示位置特定情報１３６ｂのパターン画像中の同位置にも画像合わせ用マークを設ける。そして、互いのマークを一致させるように画像を調整すれば、撮影画像とパターン画像のサイズも位置も一致させることができる。
【００９２】
（表示内容取得部）
表示内容取得部１３５ｃは、表示位置特定部１３５ｂによって撮影画像中における位置が特定されたＰＤ表示部１２２、球面度表示部１６１Ｒ、１６１Ｌ、円柱度表示部１６２Ｒ、１６２Ｌ、円柱軸表示部１６４Ｒ、１６４Ｌ、ロータリープリズム部１５５Ｒ、１５５Ｌの領域をそれぞれ解析してその表示内容を取得する処理を行う。
【００９３】
表示内容取得部１３５ｃは、撮影画像中における球面度表示部１６１Ｒ、１６１Ｌ及び円柱度表示部１６２Ｒ、１６２Ｌについては、例えば、そこに表示されている数値（図３、図４参照）を構成する各数字の形状をパターン認識することによって球面度及び円柱度をそれぞれ取得する。
【００９４】
このような手法で球面度や円柱度を取得する場合には、（少なくとも）数字０〜９をパターン認識するための既存のプログラムを画像解析プログラム１３６ａに設ける。表示内容取得部１３５ｃは、当該プログラムを実行することにより、球面度及び円柱度の取得処理を行う。なお、数字のパターン認識において基準となる数字の形状データ（基準形状データ）は、例えば、フォロプタの表示部に実際に形成されている数字に基づいて形成される。
【００９５】
また、円柱軸表示部１６４Ｒ、１６４Ｌ（図１４参照）については、撮影画像中における指示マーク１６４ｃの位置を求め、その位置に基づいて円柱軸角度を取得する。ここで、上述のように、目盛板１６４ａは、クロスシリンダレンズ部１５４が回転されても回転しないようになっており、一方、指示マーク１６４ｃは、クロスシリンダレンズ部１５４の回転とともに回転するように構成されている。なお、指示マーク１６４ｃの位置は、例えば、所定の基準位置（例えば０°と１８０°を指し示す位置）からの変位（角度、距離等）として検出されるようになっている。
【００９６】
円柱軸表示部１６４Ｒ、１６４Ｌに表示された円柱軸角度の読み取り処理は、例えば、指示マーク１６４ｃが撮影画像中のどの位置にあるかを検出し、その検出結果から指示マーク１６４ｃが指し示す目盛を求めることにより実現できる。その一例としては、図１４に示すように、撮影画像中の指示マーク１６４ｃの上記基準位置からの変位が０°と検出されれば、そのときの円柱軸角度は０°とされ、上記基準位置からの変位が９０°と検出されれば、そのときの円柱軸角度は９０°とされ、また、左側の指示マーク１６４ｃの上記基準位置からの変位が上方に４５°であると検出され、右側の指示マーク１６４ｃの上記基準位置からの変位が下方に４５°であると検出されれば、そのときの円柱軸角度は１３５°とされる。
【００９７】
画像解析プログラム１３６ａには、このような指示マーク１６４ｃの位置と目盛板１６４ａ上の目盛との対応を示す情報があらかじめ設けられている。表示内容取得部１３５ｃは、当該情報を参照して円柱軸角度を求める。なお、左右の指示マーク１６４ｃが指し示す数値は同一であるので、一方の指示マーク１６４ｃのみについてその位置を求めるように構成してもよい。
【００９８】
また、ロータリープリズム部１５５Ｒ、１５５Ｌ（図１５参照）についても、撮影画像中における指示マーク１５５ｃの位置を求め、その位置に基づいてプリズム度を取得する。ここで、上述のように、目盛板１５５Ｄは、変更ダイヤル１５５ｅが操作されてプリズム部１５５ａが回転されても回転されず、「２０」−「２０」の線が常に垂直に位置するようになっている。一方、指示マーク１５５ｃは、プリズム部１５５ａの回転とともに回転するように構成されている。なお、指示マーク１５５ｃの位置は、例えば、所定の基準位置（例えば「０」を指し示す位置）からの変位（角度、距離等）として検出されるようになっている。
【００９９】
ロータリープリズム部１５５Ｒ、１５５Ｌに表示されたプリズム値の読み取り処理は、例えば、指示マーク１５５ｃが撮影画像中のどの位置にあるかを検出し、その検出結果から指示マーク１５５ｃが指し示す目盛を求めることにより実現できる。その一例としては、図１５に示すように撮影画像中の指示マーク１５５ｃの上記基準位置からの変位が０°であると検出されれば、そのときのプリズム度は０とされ、上記基準位置からの変位が上方に９０°であると検出されれば、そのときのプリズム度は２０とされる。
【０１００】
なお、指示マーク１５５ｃが上記基準位置よりも上方にあるときはベースアップを、下方にあるときはベースダウンをそれぞれ示す。ここで、図１５から分かるように、指示マーク１５５ｃの位置が特定されると、それが指し示すプリズム度についても（ベースアップ／ベースダウンの区別を含めて）一義的に決定される。
【０１０１】
画像解析プログラム１３６ａには、このような指示マーク１５５ｃの位置と目盛板１５５ｄ上の目盛との対応を示す情報があらかじめ設けられている。表示内容取得部１３５ｃは、当該情報を参照してプリズム度を求める。
【０１０２】
図２に示すＰＤ表示部１２２は、指示マーク１２２ｃの位置が固定され、５０〜７８ミリメートルの範囲の目盛を有する移動板１２２ｄが移動するようになっている。移動板１２２ｄ上には、数値「５０」、「５５」、「６０」、「６５」、「７０」、「７５」が記載されている。例えば、表示内容取得部１３５ｃは、これら数値を構成する各数字の形状をパターン認識して位置を検出するとともに、指示マーク１２２ｃの位置を検出する。そして、パターン認識した数値と指示マーク１２２ｃとの相対位置を求めて指示マーク１２２ｃの指し示す値をＰＤとして取得する。一例として、数値「５５」及び「６０」の位置と指示マーク１２２ｃの位置とが検出され、数値「５５」と「６０」との間の距離を２：３に内分する位置に指示マーク１２２ｃが配置している場合、指示マーク１２２ｃが指し示す値は「５７」となりＰＤ＝５７が取得される。
【０１０３】
制御部１３５ａは、表示内容取得部１３５ｃにより取得された各表示部の表示内容を、表示位置特定部１３５ｂにより特定された表示位置と関連付けて、ＨＤＤ１３６の検査結果記憶部１３６Ｂに電子データとして保存する。
【０１０４】
すなわち、制御部１３５ａは、ＰＤ表示部１２２の表示内容を左右被検眼のＰＤの値として保存し、球面度表示部１６１Ｒの表示内容を右被検眼の矯正球面度として保存し、球面度表示部１６１Ｌの表示内容を左被検眼の矯正球面度として保存し、円柱度表示部１６２Ｒの表示内容を右被検眼の矯正円柱度として保存し、円柱度表示部１６２Ｌの表示内容を左被検眼の矯正円柱度として保存し、円柱軸表示部１６４Ｒの表示内容を右被検眼の矯正円柱軸角度として保存し、円柱軸表示部１６４Ｌの表示内容を左被検眼の矯正円柱軸角度として保存し、ロータリープリズム部１５５Ｒの表示内容を右被検眼の矯正プリズム度として保存し、ロータリープリズム部１５５Ｌの表示内容を左被検眼の矯正プリズム度として保存する。
【０１０５】
なお、検眼装置１が電子カルテシステムに接続されている場合、当該表示内容（被検眼の屈折力等の測定値）を電子カルテに自動記入するように構成できる。
【０１０６】
前出の撮像装置２の説明中において、撮影画像は高画質であることが望ましいと述べたのは、この表示内容取得部１３５ｃによる処理において各表示部の表示内容を的確に読み取れるようにするためである。
【０１０７】
（表示制御部）
表示制御部１３５ｄは、表示内容取得部１３５ｃが取得したフォロプタ１２０の各表示部の表示内容を、コンピュータ装置１３０のモニタ部１３１に表示させる処理を行う。
【０１０８】
表示制御部１３５ｄは、表示内容取得部１３５ｃにより取得されて検査結果記憶部１３６Ｂに保存されたＰＤ、左右被検眼の球面度、円柱度、円柱軸角度、プリズム値等を、例えば図７に示すような形式でモニタ部１３１に表示させる。この図７には、表示されたＰＤが５５（ミリメートル）であり、左被検眼の球面度Ｓが−５．２５（ディオプタ）、円柱度Ｃが−０．５０（ディオプタ）、円柱軸角度Ａが９０（度）、プリズム値Ｐが０（ディオプタ）であり、右被検眼の球面度Ｓが−５．００、円柱度Ｃが−０．５０、円柱軸角度Ａが９０、プリズム値Ｐが０であったときの検査結果の表示態様の一例が示されている。なお、プリズム値Ｐが０でない場合には、ベースアップ／ベースダウンの区別も表示される。表示制御部１３５ｄによる検査結果の表示態様は、このような表示形式に限定されるものではなく、任意の表示形式を採用することが可能である。
【０１０９】
［処理手順］
以上のような構成の検眼装置１による処理手順の一例について説明する。図８は、この検眼装置１を用いた検眼の手順の一例を示す。
【０１１０】
図９は、検眼装置１を用いた検眼の態様を表している。図９中の符号１２０Ｆは、フォロプタ１２０の前面を示す。前述のように、フォロプタ１２０の前面１２０Ｆには、ＰＤ表示部１２２、球面度表示部１６１Ｒ、１６１Ｌ、円柱度表示部１６２Ｒ、１６２Ｌ、円柱軸表示部１６４Ｒ、１６４Ｌ、及び、ロータリープリズム部１５５Ｒ、１５５Ｌが設けられている。また、符号３００は被検者を示し、符号４００は検者を示している。また、同図の撮像装置２は視力表装置１４０の上に設置されているが、視力表装置１４０の内部等に設置させてもよい。
【０１１１】
まず、検者４００は、図１１に示す検眼テーブル１０１脇の検眼椅子（図示省略）に被検者３００を座らせてフォロプタ１２０を被検者３００の顔の前に配置させるとともに、図１２に示すＰＤ変更ノブ１２１を回動操作して各測定ユニット１２０Ｒ、１２０Ｌの検眼窓１５０をそれぞれ右被検眼、左被検眼の直前に配置させるようにアライメントを行う（Ｓ１）。ＰＤ表示部１２２には、このときの左右被検眼のＰＤの値が図２のように表示される（Ｓ２）。
【０１１２】
次に、図示しないレフラクトメータ等の他覚式検眼装置によって、被検者３００の左右被検眼の他覚値を測定する（Ｓ３）。取得された他覚値は、コンピュータ装置１３０のモニタ部１３１に表示される。検者４００は、この他覚値を参照してフォロプタ１２０に自覚式検眼の初期値をセットする（Ｓ４）とともに、視力表装置１４０を操作して被検者３００に視標Ｃを提示させる（Ｓ５）。
【０１１３】
検者４００は、被検者３００に提示する視標Ｃを変更しつつ、フォロプタ１２０により矯正球面度や矯正円柱度等を変更して、被検者３００に視標Ｃの見え具合を確認することにより、被検者３００が満足する矯正屈折力を見つけて検査を終了する（Ｓ６）。
【０１１４】
このとき、フォロプタ１２０の前面１２０ＦのＰＤ表示部１２２にはＰＤが表示され、球面度表示部１６１Ｒ、１６１Ｌにはそれぞれ球面度が表示され、円柱度表示部１６２Ｒ、１６２Ｌにはそれぞれ円柱度が表示され、円柱軸表示部１６４Ｒ、１６４Ｌにはそれぞれ円柱軸角度が表示され、ロータリープリズム部１５５Ｒ、１５５Ｌにはそれぞれプロズム値が表示される（Ｓ７）。検者４００は、例えばコンピュータ装置１３０の入力部１３４を操作して撮像装置２によりフォロプタ１２０の前面１２０Ｆを撮影する（Ｓ８）。撮像装置２は、フォロプタ１２０の前面１２０Ｆの撮影画像の画像データを、ケーブル３を通じてコンピュータ装置１３０に送信する（Ｓ９）。
【０１１５】
コンピュータ装置１３０のＣＰＵ１３５の表示位置特定部１３５ｂは、撮像装置２による撮影画像を解析して当該画像中におけるＰＤ表示部１２２、球面度表示部１６１Ｒ、１６１Ｌ、円柱度表示部１６２Ｒ、１６２Ｌ、円柱軸表示部１６４Ｒ、１６４Ｌ、及び、ロータリープリズム部１５５Ｒ、１５５Ｌのそれぞれの位置を特定する（Ｓ１０）。
【０１１６】
次に、ＣＰＵ１３５の表示内容取得部１３５ｃは、表示位置特定部１３５ｂによって位置が特定されたＰＤ表示部１２２、球面度表示部１６１Ｒ、１６１Ｌ、円柱度表示部１６２Ｒ、１６２Ｌ、円柱軸表示部１６４Ｒ、１６４Ｌ、ロータリープリズム部１５５Ｒ、１５５Ｌの領域をそれぞれ解析して、各表示部の表示内容を取得する（Ｓ１１）。制御部１３５ａは、当該取得された表示内容を、その表示位置（つまり表示対象：ＰＤ、右眼の球面度、左眼の円柱度など）と関連付けてＨＤＤ１３６の検査結果記憶部１３６Ｂに電子データとして保存する（Ｓ１２）。
【０１１７】
続いて、ＣＰＵ１３５の表示制御部１３５ｄは、表示内容取得部１３５ｃが取得した各表示内容をコンピュータ装置１３０のモニタ部１３１に所定の形式で表示させる（Ｓ１３）。
【０１１８】
なお、検眼装置１が電子カルテシステムに接続されている場合には、この表示内容を当該システムのサーバ等に送信する。このサーバ等は、この表示内容を当該被検者３００の電子カルテに自動的に記入する。
【０１１９】
［作用、効果］
このような本実施形態の検眼装置１によれば、マニュアルタイプのフォロプタ１２０によって機構的に表示されるＰＤや矯正屈折力等がコンピュータ装置１３０のモニタ部１３１に自動的に表示されるので、フォロプタ１２０に表示される検査結果を目視で読み取ってコンピュータ装置１３０や記録用紙に記録する必要がない。したがって、検査結果を機構的に表示するマニュアルタイプのフォロプタを用いて検眼を行う場合であっても、検査結果をミスなく記録することが可能となる。
【０１２０】
それにより、誤った記録内容によって誤診が誘因される事態が回避され、再検査による検者及び被検者への負担もなくなる。また、従来問題とされていた検査結果の記録処理に起因する検者への負担が解消され又は低減される。
【０１２１】
［各種変形例］
以上のような検眼装置の各種の変形例について説明する。
【０１２２】
（トライアルフレームへの適用）
被検眼に矯正球面度を付与する屈折力矯正手段として、複数のトライアルレンズを選択的に装着可能なトライアルフレームを適用した検眼装置についても本発明の構成を適用できる。
【０１２３】
図１６に示すように、トライアルフレーム２００に選択的に装着されるトライアルレンズ２０２には、レンズ２０２ｂの屈折力（球面度、円柱度等）を示すタブ２０２ｄが設けられている。トライアルレンズ２０２（特に円柱度を付加するもの）は、トライアルフレーム２００に装着した状態で回転可能とされている。
【０１２４】
トライアルフレーム２００の前面には、目盛２０６Ｌ、２０６Ｒが設けられており、円柱度を付与するトライアルレンズ２０２の円柱軸角度は、そのタブ２０２ｄ（突部２０２ｃ）が目盛２０６Ｌ、２０６Ｒを指示することで表示される。
【０１２５】
なお、各トライアルレンズ２０２のタブ２０２ｄ、（突部２０２ｃ）、トライアルフレーム２００の目盛２０６Ｌ、２０６Ｒは、検査結果を機構的に表示するように構成されており、本発明の「検査結果表示機構」を構成するものである。
【０１２６】
被検者は、図９に示す位置に配置されてトライアルフレーム２００を装用される。検者は、フォロプタによる検査と同様に、視力表装置１４０により各種の視標Ｃを提示しつつ、トライアルレンズ２０２を選択的にトライアルフレーム２００に装着して、被検者が満足する矯正屈折力を見つける。そのとき、トライアルフレーム２００には、被検者が満足する矯正球面度の球面レンズ、矯正円柱度の円柱レンズ、プリズム度のプリズムレンズ等が装着されている。また、当該円柱レンズのタブ２０２ｄは円柱軸角度の方向を示すように位置し、当該プリズムレンズのタブ２０２ｄはプリズム基底方向を示すように位置している。
【０１２７】
なお、トライアルフレーム２００には、従来と同様に、複数のトライアルレンズ２０２が同時に装着できるようになっている。また、各トライアルレンズ２０２は、そのタブ２０２ｄに示す当該レンズ２０２ｂの屈折力の値を撮像装置２側に向けるようにしてトライアルフレーム２００に装着される。
【０１２８】
検者は、コンピュータ装置１３０を操作するなどして撮像装置２によって、各トライアルレンズ２０２のタブ２０２ｄを含む画像を撮影する。その画像データは、ケーブル３を通じてコンピュータ装置１３０に送信される。
【０１２９】
コンピュータ装置１３０のＣＰＵ１３５は、この撮影画像を解析して各トライアルレンズ２０２のタブ２０２ｄに示す数値や、タブ２０２ｄ（突部２０２ｃ）が指示する目盛２０６Ｌ、２０６Ｒに示す円柱軸角度などを取得する。当該取得処理は、前述の実施形態のように数値や文字やマークの形状のパターン認識による手法や、指示マーク等の位置を検出する手法によって行うことができる。
【０１３０】
更に、ＣＰＵ１３５は、取得した数値等を所定の形式（上記実施形態のような一覧形式等）でモニタ部１３１に表示させる。
【０１３１】
このような検眼装置によれば、検査結果を機構的に表示するように構成されたトライアルフレームやトライアルレンズを用いて検眼を行う場合でも、その検査結果を目視にて読み取り記録する必要がなくなり、記録ミスを回避することが可能となる。
【０１３２】
（撮影画像における表示内容を取得できなかった場合などへの対応）
本変形例は、本発明に係る上述の各構成においてフォロプタ等の撮影画像における表示内容を取得できなかったような場合に好適に対応するためのものである。
【０１３３】
本発明に係る検眼装置は、マニュアルタイプのフォロプタやトライアルフレーム等を撮影し、その撮影画像を解析してフォロプタ等の表示内容（検査結果）を取得し表示する構成を備えている。しかし、検査室内の明るさ等の理由によって鮮明な画像を撮影することができず、それによりフォロプタ等の表示内容を確実に取得できないようなケースが発生するおそれがある。なお、撮像装置２の撮像素子２３として十分に高画質、高感度のものを採用すればこのような事態は回避されると考えられるが、検眼装置が多様な環境下で使用されることを考慮すると、本変形例に係る構成を備えることが望ましいと考えられる。
【０１３４】
図１０は、本変形例に係る検眼装置に含まれるコンピュータ装置の一例を示すものである。同図に示すコンピュータ装置１３０′は、図１に示した上記実施形態のコンピュータ装置１３０の変形例であり、それと同様の構成要素を同一の符号で示してある。
【０１３５】
コンピュータ装置１３０′は、上述のコンピュータ装置１３０と同様の構成要素に加えて、ＨＤＤ１３６の制御プログラム１３６Ａに判断プログラム１３６ｄを備えている。ＣＰＵ１３５は、この判断プログラム１３６ｄを実行することにより解析結果判断部１３５ｅとして動作する。
【０１３６】
この解析結果判断部１３５ｅは、表示位置特定部１３５ｂによる処理において撮影画像中のフォロプタ１２０の全ての表示部の位置が特定されたか否かを判断する処理を行う。判断プログラム１３６ｄには、特定すべき表示部のリストが記憶されており、解析結果判断部１３５ｅは、表示位置特定部１３５ｂによって特定された各表示部と当該リストとを比較して、特定漏れの有無を判断する。なお、特定すべき表示部を選択可能とする場合、すなわち、撮影画像から取得してモニタ部１３１に表示する対象（ＰＤ、球面度等）を選択可能に構成する場合、解析結果判断部１３５ｅは、その選択された対象のフォロプタ１２０における表示位置が全て特定されたか否かを判断する。
【０１３７】
位置が特定されていない表示部があると解析結果判断部１３５ｅが判断した場合、表示制御部１３５ｄは、その旨を示すメッセージや特定されていない表示部を明示するメッセージ、例えば、「表示位置を特定できませんでした」や「左眼の球面度の表示位置を特定できませんでした」等のメッセージをモニタ部１３１に表示させる。
【０１３８】
このような処理に加えて、又は、このような処理に代えて、解析結果判断部１３５ｅは、表示内容取得部１３５ｃによる処理において撮影画像中のフォロプタ１２０の表示部における表示内容が全て取得されたか否かを判断する処理を行う。この場合ついても、判断プログラム１３６ｄには、取得すべき表示内容のリストが記憶されており、解析結果判断部１３５ｅは、表示内容取得部１３５ｃによって取得された表示内容と当該リストとを比較して、取得漏れの有無を判断する。なお、取得すべき表示内容を選択可能に構成する場合には、解析結果判断部１３５ｅは、その選択された表示内容が全て取得されたか否かを判断する。
【０１３９】
取得されていない表示内容があると解析結果判断部１３５ｅが判断した場合、表示制御部１３５ｄは、その旨を示すメッセージや取得されていない表示内容を明示するメッセージ、例えば、「表示内容を取得できませんでした」や「左眼の球面度を取得できませんでした」等のメッセージをモニタ部１３１に表示させる。
【０１４０】
本変形例によれば、フォロプタ１２０に表示される検査結果が有効に取得されなかった旨を報知することができる。したがって、検者は、検査結果を有効に取得するために、フォロプタ１２０の画像を再撮影したり、フォロプタ１２０の表示部を目視にて確認するなどの対応を講じることができる。それにより、検査結果の取得漏れによる記録ミスが回避されることとなる。
【０１４１】
なお、報知内容（メッセージ等）として、「フォロプタの表示を確認して入力してください」などのように、対応の内容を表示するようにしてもよい。また、報知方法としては、上述の視覚的方法のみではなく、音声メッセージやビープ音等の聴覚的方法などの他の方法を用いることも可能である。また、当該変形例の構成は、トライアルフレーム２００を用いた検査にも適用可能であることは明らかである。
【０１４２】
（撮像装置による撮像態様）
上述の実施形態においては、フォロプタ１２０の前面１２０Ｆの全体像を一度に撮影するように構成されているが、その一部分の画像を撮影するように構成することも可能である。例えば、フォロプタ１２０の右測定ユニット１２０Ｒと左測定ユニット１２０Ｌとをそれぞれ個別に撮影したり、フォロプタ１２０の各表示部をそれぞれ個別に撮影するように構成することもできる。また、互いに近くに配置された複数の表示部をまとめて撮影するようにしてもよい。
【０１４３】
その場合には、撮像装置２に、フォロプタ１２０の前面１２０Ｆの撮影位置を変更するための変更手段を設けるとともに、制御部２１によってこの変更手段による撮影位置の変更を制御する。このとき、制御部２１は、例えば、コンピュータ装置１３０の制御部１３５ａからの制御信号に基づいて当該制御処理を行う。
【０１４４】
上記の変更手段としては、例えば、撮像装置２或いは撮影光学系２２自体を上下左右に移動させる駆動装置（ステッピングモータ等）や、撮影光学系２２にプリズムを設けて撮影方向を変位させる構成を用いることができる。
【０１４５】
本変形例の構成を採用する場合には、撮影光学系２２の前述の変倍レンズを制御してズーム画像を撮影するようにしてもよい。それにより、フォロプタ１２０の表示部の表示内容の拡大画像を得ることができるので、コンピュータ装置１３０による表示位置特定処理や表示内容取得処理をより確実に行うことが可能となる。
【０１４６】
また、本変形例の構成を採用する場合、フォロプタ１２０各部の撮影順序をあらかじめ定めておくことができる。右測定ユニット１２０Ｒと左測定ユニット１２０Ｌとを個別に測定する場合には、例えば、最初にＰＤ表示部１２２を撮影し、次に右測定ユニット１２０Ｒを撮影し、最後に左測定ユニット１２０Ｌを撮影するように変更手段を制御する（ケース１）。また、フォロプタ１２０の各表示部をそれぞれ個別に撮影する場合には、例えば、ＰＤ表示部１２２→右の球面度表示部１６１Ｒ→右の円柱度表示部１６２Ｒ→右の円柱軸表示部１６４Ｒ→右のロータリープリズム部１５５Ｒ→左の球面度表示部１６１Ｌ→左の円柱度表示部１６２Ｌ→左の円柱軸表示部１６４Ｌ→左のロータリープリズム部１５５Ｌの順に撮影するように変更手段を制御する（ケース２）。
【０１４７】
このような撮影順序を決めておくとともに、この撮影順序をコンピュータ装置１３０にあらかじめ記憶させ、表示位置特定部１３５ｂや表示内容取得部１３５による処理を当該撮影順序に応じて行うようにすれば、これらの処理を正確に行うことが可能となる。すなわち、多数の表示部（上記実施形態では９個）を含む撮影画像の各表示部を特定し表示内容を取得するよりも、少数の表示部（上記ケース１では１個、４個、４個であり、上記ケ―ス２では各画像に１個）を含む撮影画像の表示部を特定し表示内容を取得する方が、処理の正確性向上が期待されるからである。
【０１４８】
（フォロプタの表示部等の数値や指示マークなどについて）
フォロプタ１２０の表示部等に刻印などにより設けられた数値、目盛、指示マーク等を、撮像装置２の撮像素子２３の受光感度の高い波長域の色のインクや塗料で形成することで、より鮮明な撮影画像を取得できるようにしてもよい。また、蛍光色などの特殊な色のインクや塗料で数値等を形成してもよい。
【０１４９】
表示部等の数値や指示マークなどに関する第２の変形例として、各表示部を異なる色で着色するとともに、コンピュータ装置１３０のＣＰＵ１３５により撮影画像のスペクトルを解析して各表示部の表示内容を色の差違を基に取得するように構成することも可能である。
【０１５０】
また、表示部の表示態様は、上記実施形態のような数値や文字やマーク等に限定されるものではなく、検査結果を機構的に表示する構成を備えていれば十分である。
【０１５１】
（取得した検査結果の保存、利用）
コンピュータ装置１３０のＣＰＵ１３５により取得された各表示部の表示内容（検査結果）は、上記実施形態においては、検査結果記憶部１３６Ｂに保存され、モニタ部１３１に表示されるようになっていたが、本発明においてはこれに限定されるものではない。例えば、検査結果記憶部１３６Ｂに保存するのみの構成、或いは、保存はせずにモニタ部１３１に表示させるのみの構成などを採用できる。
【０１５２】
また、検眼装置が電子カルテ管理システムに接続されているときには、取得された検査結果を当該システムに送信するように構成できる。この検査結果は、例えば、電子カルテ管理システムによって当該被検者の電子カルテに自動的に記入される。それにより、検査結果を電子カルテに手入力する手間を省くことができ、また、誤入力の発生を回避することができる。
【０１５３】
また、被検者が装用する眼鏡レンズを研磨して形成加工するための玉すり機（又はその制御装置）に検眼装置を接続し、当該検眼装置による検査結果を玉すり機（又はその制御装置）に送信するように構成することもできる。玉すり機は、この検査結果に基づいて、当該被検者が装用する眼鏡レンズを加工する。それにより、検査結果を玉すり機（又はその制御装置）に入力する手間を省くことができ、また、誤入力の発生を回避することができる。
【０１５４】
（その他）
以上に詳述した構成は、本発明に係る検眼装置を実施するための一例に過ぎないものである。したがって、本発明の要旨の範囲内において任意の変形を施すことが可能である。
【０１５５】
例えば、複数の自覚式検眼装置（フォロプタやトライアルフレーム）による検査結果を単一のコンピュータ装置にて処理する場合には、各自覚式検眼装置における各表示部の位置のデータを表示位置特定情報１３６ｂとしてあらかじめ記憶しておくとともに、検査に使用する自覚式検眼装置を選択する選択手段（コンピュータ装置１３０の入力部１３４等）を設け、選択された装置に対応する表示位置特定情報１３６ｂを用いて、表示位置特定処理や表示内容取得処理を実行するように構成できる。
【０１５６】
また、自覚式検眼装置と視力表装置との間の距離（３メートル、５メートルなど）を選択する検査距離選択手段（コンピュータ装置１３０の入力部１３４等）を設け、その選択内容に応じて撮像装置２のフォーカス距離や撮影倍率等を自動的に変更するようにしてもよい。当該変更処理は、例えば、コンピュータ装置１３０の制御部１３５ａからの制御信号に応じて撮像装置２の制御部２１によって制御される。
【０１５７】
また、フォロプタ１２０の前面１２０Ｆに所定の基準マークを設けるとともに、この基準マークに対する各表示部の相対位置を表示位置特定情報１３６ｂとして記憶し、当該相対位置に基づいて各表示部の位置を特定するように構成することも可能である。
【０１５８】
また、本発明に係る検眼装置は、必要に応じて、球面度、円柱度、円柱軸角度、プリズム度、ＰＤ以外の測定値を取得することもできる。また、これらを含む各種測定値の内のいずれかを選択的に取得するようにしてもよい。その選択操作は、コンピュータ装置１３０の入力部１３４等により行う。
【０１５９】
また、本発明に係る構成は、上述のようなフォロプタやトライアルフレーム等の自覚式検眼装置以外にも、被検眼の屈折力等の光学特性値やＰＤ等の測定値などを機構的に表示する構成を備えた任意の検眼装置に適用できる。
【図面の簡単な説明】
【０１６０】
【図１】本発明に係る検眼装置の実施形態の概略構成の一例を表すブロック図である。
【図２】本発明に係る検眼装置の実施形態に含まれるフォロプタのＰＤ表示部の構成の一例を表す概略図である。
【図３】本発明に係る検眼装置の実施形態に含まれるフォロプタの球面度表示部の構成の一例を表す概略図である。
【図４】本発明に係る検眼装置の実施形態に含まれるフォロプタの円柱度表示部の構成の一例を表す概略図である。
【図５】本発明に係る検眼装置の実施形態に含まれる撮像装置の一例の概略構成を表すブロック図である。
【図６】本発明に係る検眼装置の実施形態に含まれるコンピュータ装置に格納されている表示位置特定情報の一例を表す図である。
【図７】本発明に係る検眼装置の実施形態による検査結果の表示態様の一例を表す図である。
【図８】本発明に係る検眼装置の実施形態により実行される処理手順の一例を表すフローチャートである。
【図９】本発明に係る検眼装置の実施形態を用いた検眼の態様を表す概略斜視図である。
【図１０】本発明に係る検眼装置の実施形態の変形例の一例に含まれるコンピュータ装置の概略構成を表すブロック図である。
【図１１】検眼装置の全体構成の概略を表す斜視図である。
【図１２】検眼装置に含まれるフォロプタの前面の構成を表す概略図である。
【図１３】検眼装置に含まれるフォロプタの右測定ユニット前面の構成を表す概略図である。
【図１４】検眼装置に含まれるフォロプタの円柱度表示部の構成の一例を表す概略図である。
【図１５】検眼装置に含まれるフォロプタのロータリープリズム部の構成の一例を表す概略図である。
【図１６】検眼装置に適用可能なトライアルフレーム及びトライアルレンズの構成を表す概略図である。図１６（Ａ）は、トライアルフレームの概略構成を表す正面斜視図である。図１６（Ｂ）は、トライアルレンズの概略構成を表す正面図である。
【符号の説明】
【０１６１】
１、１００  検眼装置
２  撮像装置
２１  制御部
２２  撮影光学系
２３  撮像素子
２４  画像メモリ
２５  入出力インターフェイス
３  ケーブル
１２０  フォロプタ
１２０Ｆ  前面
１２０Ａ  支持ユニット
１２１  ＰＤ変更ノブ
１２２  ＰＤ表示部
１２０Ｒ  右測定ユニット
１２０Ｌ  左測定ユニット
１５１  球面度変更部
１６１  球面度表示部
１５２  円柱度変更部
１６２  円柱度表示部
１５４  クロスシリンダレンズ部
１６４  円柱軸表示部
１６４ａ  目盛板
１６４ｃ  指示マーク
１５５  ロータリープリズム部
１５５ｃ  指示マーク
１５５ｄ  目盛板
１３０、１３０′  コンピュータ装置
１３０Ａ  バス
１３１  モニタ部
１３４  入力部
１３２  キーボード
１３３  マウス
１３５  ＣＰＵ
１３５ａ  制御部
１３５ｂ  表示位置特定部
１３５ｃ  表示内容取得部
１３５ｄ  表示制御部
１３５ｅ  解析結果判断部
１３６  ハードディスクドライブ
１３６Ａ  制御プログラム
１３６ａ  画像解析プログラム
１３６ｂ  表示位置特定情報
１３６ｃ  表示制御プログラム
１３６ｄ  判断プログラム
１３６Ｂ  検査結果記憶部
１３７  ＲＡＭ
１３８  ＲＯＭ
１３９  入出力インターフェイス
１４０  視力表装置
Ｃ  視標
２００  トライアルフレーム
２０２  トライアルレンズ
２０２ｃ  突部
２０２ｄ  タブ
３００  被検者
４００  検者
【図１】
2006068417.tif 000003
【図２】
2006068417.tif 000004
【図３】
2006068417.tif 000005
【図４】
2006068417.tif 000006
【図５】
2006068417.tif 000007
【図６】
2006068417.tif 000008
【図７】
2006068417.tif 000009
【図８】
2006068417.tif 000010
【図９】
2006068417.tif 000011
【図１０】
2006068417.tif 000012
【図１１】
2006068417.tif 000013
【図１２】
2006068417.tif 000014
【図１３】
2006068417.tif 000015
【図１４】
2006068417.tif 000016
【図１５】
2006068417.tif 000017
【図１６】
2006068417.tif 000018